【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
対向して配置された一対の基板と、前記一対の基板間に挟持された液晶層と、複数の表示画素からなる表示部と、を備え、
前記一対の基板の一方の基板は、複数の表示画素のそれぞれに配置された複数の画素電極と、第１方向に延びる複数の走査線と、前記複数の走査線と交差するように配置された複数の信号線と、前記複数の画素電極のそれぞれに対応して前記走査線と前記信号線とが交差する位置近傍に配置された画素スイッチと、を備え、
前記第１方向に並ぶ複数の表示画素に供給する信号の極性を１表示画素毎に反転するとともに、前記画素スイッチを介して前記信号線から複数の表示画素に供給する信号の極性を、共通の信号線に接続され前記共通の信号線に沿って隣接して並ぶ２以上の表示画素毎に反転するように前記複数の走査線および前記複数の信号線を駆動する駆動手段を備え、
前記複数の画素電極は、前記第１方向における一方側に配置された信号線と前記画素スイッチを介して接続された液晶表示装置。
【請求項２】
前記複数の表示画素はデルタ配列であり、
前記複数の信号線は、前記複数の画素電極間の領域を蛇行するように前記第１方向と略直交する第２方向に延びている請求項１記載の液晶表示装置。
【請求項３】
前記第１方向と略平行に延びる複数の補助容量線をさらに備え、
前記複数の表示画素は、前記画素電極と前記補助容量線とに印加される電圧により生じる補助容量を備え、
前記補助容量線は、前記補助容量を介して、正極性および負極性のいずれか一方の信号が書込まれる複数の画素電極と接続されている請求項２記載の液晶表示装置。
【請求項４】
前記複数の走査線および前記複数の信号線を駆動する駆動手段と、前記駆動手段の一出力端子から出力された出力信号を、２以上の信号線に時間的に振り分ける選択手段と、前記駆動手段および前記選択手段の動作を制御する制御手段と、さらに備え、
前記複数の表示画素は、複数種類の色表示画素を含み、
前記選択手段は、同一種類の色表示画素であって、同一極性の信号が供給される複数の表示画素に、前記一出力端子からの出力信号を振り分けるように構成され、
前記制御手段は、１水平期間において、前記２以上の信号線のうちの少なくとも一方に同一の信号が２回以上供給されるように前記駆動手段および前記選択手段を制御する選択駆動制御手段を備える請求項２記載の液晶表示装置。
【請求項５】
前記複数の走査線および前記複数の信号線を駆動する駆動手段と、前記駆動手段の出力端子から出力された出力信号を、２以上の信号線に時間的に振り分ける選択手段と、前記駆動手段と前記選択手段とを制御する制御手段と、をさらに備え、
前記複数の表示画素は、複数種類の色表示画素を含み、
前記選択手段は、前記複数種類の色表示画素の同一極性の信号が供給される表示画素に、前記出力端子からの出力信号を振り分けるように構成され、
前記制御手段は、１水平期間の第１期間において前記表示画素にリセット信号を振り分けるとともに、前記１水平期間の第２期間において前記表示画素に映像信号を供給するように前記駆動手段および前記選択手段を制御する選択駆動制御手段を備える請求項２記載の液晶表示装置。
【請求項６】
対向して配置された一対の基板と、前記一対の基板間に挟持された液晶層と、複数の表示画素からなる表示部と、を備え、
前記一対の基板の一方の基板は、複数の表示画素のそれぞれに配置された複数の画素電極と、第１方向に延びる複数の走査線と、前記複数の走査線と交差するように配置された複数の信号線と、複数の画素電極のそれぞれに対応して前記走査線と前記信号線とが交差する位置近傍に配置された画素スイッチと、を備え、
前記複数の画素電極は、前記第１方向における一方側に配置された信号線に前記画素スイッチを介して接続された液晶表示装置の駆動方法であって、
複数の走査線を駆動する走査線駆動手段を制御して、前記複数の走査線を順次駆動させ、駆動された走査線により画素スイッチを導通させるステップと、
複数の信号線を駆動する信号線駆動手段を制御して、前記画素スイッチを介して、前記複数の信号線から画素電極に信号を書き込む信号書き込みステップと、を備え、
前記信号書き込みステップは、前記画素電極に書き込む信号の極性を、前記第１方向に並ぶ複数の表示画素の１表示画素毎に反転するとともに、共通の信号線に接続され前記共通の信号線に沿って隣接して並ぶ２以上の表示画素毎に反転する極性反転ステップを備える液晶表示装置の駆動方法。
【請求項７】
前記複数の表示画素はデルタ配列であり、
前記複数の信号線は、前記複数の画素電極間の領域を蛇行するように前記第１方向と略直交する第２方向に延びている請求項６記載の液晶表示装置の駆動方法。
【請求項８】
前記信号線駆動手段の出力端子から出力された出力信号を、同一種類の色表示画素であって、同一極性の信号が供給される表示画素に信号を供給する複数の信号線に振り分ける選択手段をさらに備え、前記複数の信号線は第１スイッチを介して前記出力端子と接続された第１信号線と、第２スイッチを介して前記出力端子と接続された第２信号線と、第３スイッチを介して前記出力端子と接続された第３信号線と、を備えた液晶表示装置の駆動方法であって、
前記選択手段を制御して、１フレーム期間において、前記第１スイッチ、前記第２スイッチ、および前記第３スイッチを導通させるステップと、
前記第２スイッチおよび前記第３スイッチを導通させた状態とし、前記第１スイッチを非導通とするステップと、
前記第３スイッチを導通させた状態とし、前記第１スイッチおよび前記第２スイッチを非導通とするステップと、
前記第１スイッチ、前記第２スイッチ、および前記第３スイッチを非導通とするステップと、を備える請求項７記載の液晶表示装置の駆動方法。
【請求項９】
前記信号線駆動手段の出力端子から出力された出力信号を、複数種類の色表示画素であって、同一極性の信号が供給される表示画素に信号を供給する複数の信号線に振り分ける選択手段をさらに備え、前記複数の信号線は第１スイッチを介して前記出力端子と接続された第１信号線と、第２スイッチを介して前記出力端子と接続された第２信号線と、第３スイッチを介して前記出力端子と接続された第３信号線と、を備えた液晶表示装置の駆動方法であって、
前記選択手段を制御して、１水平期間の第１期間において前記第１スイッチ、前記第２スイッチ、および前記第３スイッチを導通させ、前記出力端子から前記複数の信号線にリセット信号を供給させるステップと、
１水平期間の第２期間において、前記複数種類の信号線に一定の順に信号が振り分けられるように前記第１スイッチ、前記第２スイッチ、および前記第３スイッチを順次導通させるステップと、を備える請求項７記載の液晶表示装置の駆動方法。
【手続補正２】
【補正対象書類名】明細書
【補正対象項目名】００１３
【補正方法】変更
【補正の内容】
【００１３】
本発明の第１態様による液晶表示装置は、対向して配置された一対の基板と、前記一対の基板間に挟持された液晶層と、複数の表示画素からなる表示部と、を備え、前記一対の基板の一方の基板は、複数の表示画素のそれぞれに配置された複数の画素電極と、第１方向に延びる複数の走査線と、前記複数の走査線と交差するように配置された複数の信号線と、前記複数の画素電極のそれぞれに対応して前記走査線と前記信号線とが交差する位置近傍に配置された画素スイッチと、を備え、前記第１方向に並ぶ複数の表示画素に供給する信号の極性を１表示画素毎に反転するとともに、前記画素スイッチを介して前記信号線から複数の表示画素に供給する信号の極性を、共通の信号線に接続され前記共通の信号線に沿って隣接して並ぶ２以上の表示画素毎に反転するように前記複数の走査線および前記複数の信号線を駆動する駆動手段を備え、前記複数の画素電極は、前記第１方向における一方側に配置された信号線と前記画素スイッチを介して接続された液晶表示装置である。
【手続補正３】
【補正対象書類名】明細書
【補正対象項目名】００１４
【補正方法】変更
【補正の内容】
【００１４】
本発明の第２態様による液晶表示装置の駆動方法は、対向して配置された一対の基板と、前記一対の基板間に挟持された液晶層と、複数の表示画素からなる表示部と、を備え、前記一対の基板の一方の基板は、複数の表示画素のそれぞれに配置された複数の画素電極と、第１方向に延びる複数の走査線と、前記複数の走査線と交差するように配置された複数の信号線と、複数の画素電極のそれぞれに対応して前記走査線と前記信号線とが交差する位置近傍に配置された画素スイッチと、を備え、前記複数の画素電極は、前記第１方向における一方側に配置された信号線に前記画素スイッチを介して接続された液晶表示装置の駆動方法であって、複数の走査線を駆動する走査線駆動手段を制御して、前記複数の走査線を順次駆動させ、駆動された走査線により画素スイッチを導通させるステップと、複数の信号線を駆動する信号線駆動手段を制御して、前記画素スイッチを介して、前記複数の信号線から画素電極に信号を書き込む信号書き込みステップと、を備え、前記信号書き込みステップは、前記画素電極に書き込む信号の極性を、前記第１方向に並ぶ複数の表示画素の１表示画素毎に反転するとともに、共通の信号線に接続された前記第２方向に並ぶ２以上の表示画素毎に反転する極性反転ステップを備える液晶表示装置の駆動方法である。
【手続補正４】
【補正対象書類名】明細書
【補正対象項目名】００１６
【補正方法】変更
【補正の内容】
【００１６】
【図１】本発明の第１実施形態に係る液晶表示装置の構成の一例を概略的に示す図である。
【図２】ＣＣ駆動を行った際の効果を説明するための図である。
【図３】画素配列としてデルタ配列を採用したときの信号線パターンの一例を説明するための図である。
【図４】画素配列としてデルタ配列を採用したときの信号線パターンの他の例を説明するための図である。
【図５】図４に示す信号線パターンで画素電極に映像信号を供給する場合の交番電界駆動の一例について説明するための図である。
【図６】図４に示す信号線パターンで画素電極に映像信号を供給する場合の交番電界駆動の他の例について説明するための図である。
【図７】図６に示すように交番電界駆動を行い、かつ、ＣＣ駆動を行う場合の表示部の一構成例を説明するための図である。
【図８】図７に示すように画素電極に補助容量を結合させた場合の駆動方法の一例を説明するためのタイミングチャート。
【図９】図６に示すように交番電界駆動を行い、かつ、ＣＣ駆動を行う場合の表示部の他の構成例を説明するための図である。
【図１０】図９に示すように画素電極に補助容量を結合させた場合の駆動方法の一例を説明するためのタイミングチャートである。
【図１１】図６に示すように交番電界駆動を行い、かつ、選択駆動を行う場合の表示部および選択手段の一構成例を説明するための図である。
【図１２】図１１に示すように選択駆動を行う場合の駆動方法の一例を説明するためのタイミングチャートである。
【図１３】図６に示すように交番電界駆動を行い、かつ、選択駆動を行う場合の表示部および選択手段の他の構成例を説明するための図である。
【図１４】図１３に示すように選択駆動を行う場合の駆動方法の一例を説明するためのタイミングチャートである。
【図１５】図１３に示すように選択駆動を行う場合の、走査線の駆動波形の一例について説明するための図である。
【手続補正５】
【補正対象書類名】明細書
【補正対象項目名】００５７
【補正方法】変更
【補正の内容】
【００５７】
一方、フレーム反転駆動やカラム反転駆動では、保持期間の信号線電位の直流成分の平均値が０ではなく、同一列の他行の表示に依存するため、寄生容量（Ｃｓｄ）があると画素電極ＰＥの保持電位が同一列他行の表示の影響をうけることとなり、縦クロストーク等が発生することがある。